(57)【要約】【課題】１台の無停電電源装置にて２系統の電源ラインのバックアップを可能とし、電源ラインの片系又は両系の電源停電時に２系統の出力をバックアップできる無停電電源装置を提供する。【解決手段】２系統の電源がそれぞれ入力されるＡＣ電源入力部ａ２及びＡＣ電源入力部ｂ３と、ＡＣ電源入力部ａ２及びＡＣ電源入力部ｂ３に入力された電源を、それぞれ出力するＡＣ電源出力部ａ４及びＡＣ電源出力部ｂ５と、ＡＣ電源入力部ａ２及びＡＣ電源入力部ｂ３に入力される電源の停電状態を検出し、その検出結果に基づいて、ＡＣ電源出力部ａ４及びＡＣ電源出力部ｂ５の内、少なくとも１つのＡＣ電源出力部からバックアップ電源を出力させる制御部７とを備えた。【選択図】        図１
2004254470.tif 000002
【特許請求の範囲】
【請求項１】
２系統の電源入力を有する機器に接続し、前記機器に２系統の電源を供給する無停電電源装置において、
２系統の電源がそれぞれ入力される第１の電源入力部及び第２の電源入力部と、
前記第１の電源入力部及び前記第２の電源入力部に入力された電源を、それぞれ出力する第１の電源出力部及び第２の電源出力部と、
前記第１の電源入力部及び前記第２の電源入力部に入力される電源の停電状態を検出し、その検出結果に基づいて、前記第１の電源出力部及び前記第２の電源出力部の内、少なくとも１つの電源出力部からバックアップ電源を出力させる制御部とを備えたことを特徴とする無停電電源装置。
【請求項２】
２系統の電源入力を有する機器に接続し、前記機器に２系統の電源を供給する無停電電源装置において、
２系統の電源がそれぞれ入力される第１の電源入力部及び第２の電源入力部と、
前記第１の電源入力部及び前記第２の電源入力部に入力された電源を、それぞれ出力する第１の電源出力部及び第２の電源出力部と、
前記第１の電源入力部及び前記第２の電源入力部に入力された電源の内、少なくとも１つの電源によりバッテリを充電する充電部と、
前記バッテリに充電された電力を前記機器に供給するバックアップ電源に変換するバックアップ電源変換部と、
前記第１の電源入力部及び前記第２の電源入力部に入力される電源の停電状態を検出し、その検出結果に基づいて、前記第１の電源出力部及び前記第２の電源出力部の内、少なくとも１つの電源出力部から、前記バックアップ電源変換部で変換されたバックアップ電源を出力させる制御部とを備えたことを特徴とする無停電電源装置。
【請求項３】
請求項１又は２記載の無停電電源装置において、
前記第１の電源入力部と前記第１の電源出力部との間に設けられ、あらかじめ設定された電流値以上の電流を検出すると、前記第１の電源出力部への電源を遮断する第１の過電流検出部と、
前記第２の電源入力部と前記第２の電源出力部との間に設けられ、あらかじめ設定された電流値以上の電流を検出すると、前記第２の電源出力部への電源を遮断する第２の過電流検出部とを備えたことを特徴とする無停電電源装置。
【請求項４】
請求項３記載の無停電電源装置において、
前記制御部は、前記第１の過電流検出部又は前記第２の過電流検出部により、前記第１の電源出力部又は前記第２の電源出力部への電源が遮断されると、遮断された側の電源出力部には、バックアップ電源を出力させないことを特徴とする無停電電源装置。
【請求項５】
請求項１、２、３又は４記載の無停電電源装置において、
前記制御部は、前記第１の電源入力部及び前記第２の電源入力部に入力される両方の電源の停電状態を検出すると、前記機器に対して、シャットダウン要求の信号を送信し、前記機器からシャットダウン完了の信号を受信すると、前記第１の電源出力部及び前記第２の電源出力部からの電源の出力を停止することを特徴とする無停電電源装置。
【発明の詳細な説明】
【０００１】
【発明の属する技術分野】
本発明は、ディスクアレイ装置などのコンピュータ機器の停電対策として使用される無停電電源装置に関し、特に、２系統の電源ライン入力を持つコンピュータ機器に接続される無停電電源装置に適用して有効な技術に関する。
【０００２】
【従来の技術】
従来の無停電電源装置（ＵＰＳ）では、複数のＡＣ電源出力を持つものであっても、ＵＰＳに対するＡＣ電源入力は１系統であった。
【０００３】
ところが、ディスクアレイ装置などのコンピュータ機器では、一点障害でのシステムの停止を避けるために、２系統のＡＣ電源ライン入力を持ち、片系のみの停電や電源障害に対して対応している。
【０００４】
このような２系統のＡＣ電源ライン入力を持つディスクアレイ装置などのコンピュータ機器にＵＰＳを接続して使用する場合、従来では、２系統のＡＣ電源ライン入力への接続方法として、以下の３つの方法が採られていた。
【０００５】
▲１▼片系のＡＣ電源ライン入力のみにＵＰＳを接続して、もう一方のＡＣ電源ライン入力にはＵＰＳを接続せず、ＡＣ電源ラインを直接接続する。
【０００６】
▲２▼両系のＡＣ電源ライン入力に１台のＵＰＳのＡＣ電源出力を接続してＡＣ電源ラインの二重化機能は使用しない。
【０００７】
▲３▼ＵＰＳを２台準備して、接続するコンピュータ機器の２系統のそれぞれのＡＣ電源ライン入力を、２台のＵＰＳに接続する。
【０００８】
また、２系統のＡＣ電源ライン入力を持つ機器に接続される無停電電源装置として、２系統分の定電圧定周波数電源装置と、この各２系統の定電圧定周波数電源装置に共通な１系統の蓄電池を備えた、常時インバータ方式の制止型無停電電源装置があった（例えば、特許文献１参照）。
【０００９】
【特許文献１】
特開平８−７９９８６号公報
【００１０】
【発明が解決しようとする課題】
しかしながら、上記の▲１▼、▲２▼、▲３▼に示すような従来の２系統のＡＣ電源ライン入力を持つコンピュータ機器へのＵＰＳの接続では、それぞれ以下のような問題点があった。
【００１１】
▲１▼２系統のＡＣ電源ライン入力の片系にしかＵＰＳが接続されないので、両系統停電の場合などは片側は停電することになってしまい、また、ＵＰＳの接続された側のＡＣ電源ラインのみが先に停電し、バッテリの使用後、又はＵＰＳの出力切断後に、もう一方のＡＣ電源ラインが停電した場合にはシャットダウン処理が正常に行えない事態が起こり得る。
【００１２】
さらに、ＵＰＳに接続されたコンピュータ機器とＵＰＳの電源連動機能が存在する場合、半分は連動しないことになってしまう。
【００１３】
▲２▼せっかくのＡＣ電源ラインの２重化を一部使えなくしてしまっており、電源系のトラブルに対して強い物とは言えなくなってしまっている。
【００１４】
▲３▼ＵＰＳを２台用意する必要があることから高価となる。
【００１５】
また、上記特許文献１に記載のものでは、常時インバータ方式の無停電電源装置なので、各定電圧定周波数電源装置は、それぞれ、整流充電回路及び逆変換回路を備えており、ＵＰＳを２台用意する場合と同様に高価となるという問題点があった。
【００１６】
本発明は、このような問題点を解決するためになされたものであり、１台のＵＰＳに独立した２組のＡＣ入力系統及びＡＣ出力系統を持たせることにより、１台のＵＰＳにて２系統のＡＣ電源ラインのバックアップを可能とし、ＡＣ電源ラインの片系又は両系の電源停電時に２系統の出力をバックアップできるＵＰＳを提供することを目的とする。
【００１７】
【課題を解決するための手段】
第１の発明に係る無停電電源装置は、２系統の電源入力を有する機器に接続し、機器に２系統の電源を供給する無停電電源装置において、２系統の電源がそれぞれ入力される第１の電源入力部及び第２の電源入力部と、第１の電源入力部及び第２の電源入力部に入力された電源を、それぞれ出力する第１の電源出力部及び第２の電源出力部と、第１の電源入力部及び第２の電源入力部に入力される電源の停電状態を検出し、その検出結果に基づいて、第１の電源出力部及び第２の電源出力部の内、少なくとも１つの電源出力部からバックアップ電源を出力させる制御部とを備えたものである。
【００１８】
第２の発明に係る無停電電源装置は、２系統の電源入力を有する機器に接続し、機器に２系統の電源を供給する無停電電源装置において、２系統の電源がそれぞれ入力される第１の電源入力部及び第２の電源入力部と、第１の電源入力部及び第２の電源入力部に入力された電源を、それぞれ出力する第１の電源出力部及び第２の電源出力部と、第１の電源入力部及び第２の電源入力部に入力された電源の内、少なくとも１つの電源によりバッテリを充電する充電部と、バッテリに充電された電力を機器に供給するバックアップ電源に変換するバックアップ電源変換部と、第１の電源入力部及び第２の電源入力部に入力される電源の停電状態を検出し、その検出結果に基づいて、第１の電源出力部及び第２の電源出力部の内、少なくとも１つの電源出力部から、バックアップ電源変換部で変換されたバックアップ電源を出力させる制御部とを備えたものである。
【００１９】
第３の発明に係る無停電電源装置は、第１又は第２の発明の無停電電源装置において、第１の電源入力部と第１の電源出力部との間に設けられ、あらかじめ設定された電流値以上の電流を検出すると、第１の電源出力部への電源を遮断する第１の過電流検出部と、第２の電源入力部と第２の電源出力部との間に設けられ、あらかじめ設定された電流値以上の電流を検出すると、第２の電源出力部への電源を遮断する第２の過電流検出部とを備えたものである。
【００２０】
第４の発明に係る無停電電源装置は、第３の発明の無停電電源装置において、制御部は、第１の過電流検出部又は第２の過電流検出部により、第１の電源出力部又は第２の電源出力部への電源が遮断されると、遮断された側の電源出力部には、バックアップ電源を出力させないものである。
【００２１】
第５の発明に係る無停電電源装置は、第１、第２、第３又は第４の発明の無停電電源装置において、制御部は、第１の電源入力部及び第２の電源入力部に入力される両方の電源の停電状態を検出すると、機器に対して、シャットダウン要求の信号を送信し、機器からシャットダウン完了の信号を受信すると、第１の電源出力部及び第２の電源出力部からの電源の出力を停止するものである。
【００２２】
【発明の実施の形態】
以下、本発明の実施の形態を図面に基づいて詳細に説明する。なお、発明の実施の形態を説明するための全図において、同一機能を有するものは同一符号を付け、その繰り返しの説明は省略する。
【００２３】
図１により、本発明の一実施の形態における無停電電源装置の構成を説明する。図１は無停電電源装置の構成の一例を示した図であり、通常時の状態を示している。
【００２４】
図において、無停電電源装置（以下、ＵＰＳという）本体１は、ＡＣ電源入力部ａ２、ＡＣ電源入力部ｂ３、ＡＣ電源出力部ａ４、ＡＣ電源出力部ｂ５、充電部であるＡＣ−ＤＣ電源部６、制御部７、バッテリ８、バックアップ電源変換部であるインバータ部９、ＡＣ出力切替部１０、ＡＣバイパスラインａ１１、ＡＣバイパスラインｂ１２、過電流検出部ａ１３、過電流検出部ｂ１４から構成されている。
【００２５】
ＡＣ電源入力部ａ２とＡＣ電源入力部ｂ３は、２系統のＡＣ電源ライン（例えば、ＡＣ０系とＡＣ１系）の入力として設けられており、それぞれに過電流検出部ａ１３と過電流検出部ｂ１４が接続されている。
【００２６】
また、過電流検出部ａ１３と過電流検出部ｂ１４には、それぞれ、ＡＣバイパスラインａ１１とＡＣバイパスラインｂ１２が接続されており、ＡＣバイパスラインａ１１とＡＣバイパスラインｂ１２は、ＡＣ出力切替部１０を介して、それぞれ、ＡＣ電源出力部ａ４とＡＣ電源出力部ｂ５に接続されている。
【００２７】
また、ＡＣ−ＤＣ電源部６は、過電流検出部ａ１３の後段でＡＣバイパスラインａ１１の手前、又は過電流検出部ｂ１４の後段でＡＣバイパスラインｂ１２の手前のどちらかから、ＡＣ電源の給電を受け、ＡＣ電源ラインの片系が停電の場合には、正常なＡＣ電源ラインからのＡＣ電源の給電が受けられるようになっており、制御部７、バッテリ８、インバータ部９にＤＣ電源を供給することが出来る。
【００２８】
なお、ＡＣ−ＤＣ電源部６へのＡＣ電源の給電は、ＡＣ−ＤＣ電源部６内部で、２系統の電源の入力ができるようになっていれば、常時２系統のＡＣ電源の供給を受けるようにしてもよい。
【００２９】
また、この実施の形態のＵＰＳ本体１は常時商用タイプである為、通常時はインバータ部９は動作せず、図１に示すように、ＡＣ電源出力部ａ４及びＡＣ電源出力部ｂ５から出力される２系統のＡＣ電源の出力としては、ＡＣバイパスラインａ１１、ＡＣバイパスラインｂ１２からのＡＣ電源が、ＡＣ出力切替部１０を介して、それぞれ出力されている。
【００３０】
したがって、通常時はＡＣ−ＤＣ電源部６によるＤＣ電源の出力は制御部７の動作とバッテリ８の充電に使用されている。
【００３１】
また、制御部７はＡＣバイパスラインａ１１及びＡＣバイパスラインｂ１２の給電状態を、例えば、ＡＣ−ＤＣ電源部６への給電状態などにより、監視しており、ＡＣバイパスラインａ１１及びＡＣバイパスラインｂ１２の給電状態に基づいて、インバータ部９やＡＣ出力切替部１０の制御を行っている。
【００３２】
また、制御部７はＵＰＳ本体１の動作時に、ＡＣ電源入力部ａ２に電源が供給されている場合は、ＡＣ出力切替部１０によりＡＣバイパスラインａ１１とＡＣ電源出力部ａ４を接続し、同様にＡＣ電源入力部ｂ３に電源が供給されている場合は、ＡＣ出力切替部１０によりＡＣバイパスラインｂ１２とＡＣ電源出力部ｂ５を接続している。
【００３３】
また、インバータ部９はＡＣ出力切替部１０により、ＡＣ電源出力部ａ４とＡＣ電源出力部ｂ５のどちらか一方、又は両方にＡＣ電源を供給することが出来るようになっている。
【００３４】
次に、図２〜図５により、この実施の形態のＵＰＳ本体１に、ＡＣ電源入力を２系統持つ、コンピュータ機器の一例であるディスクアレイ装置を接続した例及びＵＰＳ本体１の動作の概略について説明する。
【００３５】
図２は、この実施の形態の無停電電源装置にディスクアレイ装置を接続した一例の構成を示す構成図、図３は、この実施の形態の無停電電源装置とディスクアレイ装置の接続の具体例を説明するための説明図、図４は、この実施の形態の無停電電源装置において両系統のＡＣ電源ラインが停電した一例の状態を説明するための説明図、図５は、この実施の形態の無停電電源装置において片系のＡＣ電源ラインが停電した一例の状態を説明するための説明図である。
【００３６】
図において、ＵＰＳ本体１には、ＡＣ電源入力部ａ２、ＡＣ電源入力部ｂ３、ＡＣ電源出力部ａ４、ＡＣ電源出力部ｂ５、過電流検出部ａ１３の一例であるサーキトブレーカのブレーカスイッチ２０、過電流検出部ｂ１４の一例であるサーキトブレーカのブレーカスイッチ２１、ディスクアレイ装置１５との間で通信ケーブル１８を介して通信するための通信用端子２２、ディスクアレイ装置１５を制御するコントローラ（ＣＴＬ−０、ＣＴＬ−１）、コントローラやハードディスクなど装置全体に風を流し、ディスクアレイ装置１５を冷却するためのファン（ＦＡＮ−０、ＦＡＮ−１）が取り付けられている。
【００３７】
なお、通信用端子２２は、制御部７に接続されており、ディスクアレイ装置１５にシャットダウン要求の信号などを送信したり、ディスクアレイ装置１５からのシャットダウン完了の信号などを受信したりするために使用される。
【００３８】
また、ＵＰＳ本体１に接続されるディスクアレイ装置１５は、ディスクアレイ装置１５を動作させるための２系統のＡＣ−ＤＣ電源ａ１６とＡＣ−ＤＣ電源ｂ１７を有し、ＡＣ−ＤＣ電源ａ１６とＡＣ−ＤＣ電源ｂ１７には、それぞれ、ＡＣ電源の入力部２３及びＵＰＳ本体１と通信しシャットダウン処理などを行うための通信用端子２４が取り付けられている。
【００３９】
この、ＡＣ−ＤＣ電源ａ１６及びＡＣ−ＤＣ電源ｂ１７のそれぞれの通信用端子２４は、切り替えにより、ＡＣ−ＤＣ電源ａ１６及びＡＣ−ＤＣ電源ｂ１７のそれぞれの通信用端子２４の通信によりシャットダウン処理を行うモードと、どちらかの通信用端子２４だけを使用し、１つの通信用端子２４の通信によりシャットダウン処理を行うモードが使用できるようになっており、この実施の形態では、１つの通信用端子２４だけの通信によりシャットダウン処理などを行う。
【００４０】
そして、ＡＣ−ＤＣ電源ａ１６とＡＣ−ＤＣ電源ｂ１７は、ＡＣ電源の供給が両方ともあるときは、ほぼ５０％ずつの力で動作しており、また、どちらか一方が故障した場合でも、もう一方の１台のＡＣ−ＤＣ電源のみで、ディスクアレイ装置１５を動作させることが可能である。
【００４１】
また、ＵＰＳ本体１の制御部７は、ＵＰＳ本体１の２つのＡＣ電源入力部ａ２及びＡＣ電源入力部ｂ３へのＡＣ電源ラインが停電した場合には、この停電状態を検出し、ＡＣ出力切替部１０のスイッチを、例えば、図４に示すように、ＡＣ電源出力部ａ４及びＡＣ電源出力部ｂ５をインバータ部９のＡＣ電源出力に切り替え、インバータ部９を動作させ、ディスクアレイ装置１５の２つのＡＣ−ＤＣ電源ａ１６及びＡＣ−ＤＣ電源ｂ１７にＡＣ電源を供給することにより、ディスクアレイ装置１５は通常動作を保つことが可能である。
【００４２】
また、ＵＰＳ本体１の制御部７は、通信ケーブル１８を通じてＡＣ電源に異常が発生したことをディスクアレイ装置１５に知らせると共にディスクアレイ装置１５に対しシャットダウン要求の信号を送ることが可能である。
【００４３】
さらに、ＵＰＳ本体１の制御部７は、ディスクアレイ装置１５がシャットダウン処理が終了したことを示すシャットダウン完了の信号を、通信ケーブル１８を通じて受信したのち、２つのＡＣ電源出力部の出力を止めることが可能である。
【００４４】
これによりＵＰＳ本体１へのＡＣ電源入力が２系統とも停電した時にはＵＰＳ本体１からのシャットダウン要求の信号をディスクアレイ装置１５が受信し、ディスクアレイ装置１５がシャットダウンを終了した後に、ＵＰＳ本体１はＡＣ電源の供給を停止することが可能である。
【００４５】
また、この機能は停電などの電源の異常が発生した場合だけでなく、ＵＰＳ本体１が上位との通信手段を有し、日常の業務終了後やスケジュール運転などで、計画的にシステムを停止する場合にも同様の動作にて、ディスクアレイ装置１５をシャットダウンさせ、ＡＣ電源の供給を停止することが可能である。
【００４６】
次に、この実施の形態の停電時におけるＵＰＳ本体１の動作の詳細について説明する。
【００４７】
この実施の形態の、ＵＰＳ本体１におけるＡＣ電源入力部ａ２及びＡＣ電源入力部ｂ３に接続されるＡＣ電源ラインが両系とも同時に停電した場合の動作としては、片系のみバックアップする、又は両系ともバックアップするから選択可能である。
【００４８】
まず、片系のみバックアップする場合では、ＵＰＳ本体１の制御部７は両系停電を検出するとバッテリ８の電力でインバータ部９を動作させると共に、ＡＣ出力切替部１０により、例えばＡＣ電源出力部ｂ５のみをインバータ部９に接続し、ＡＣ電源出力部ａ４の出力は停止し、ＡＣ電源出力部ｂ５のみからＡＣ電源を出力する。
【００４９】
そして、ＵＰＳ本体１に接続されているディスクアレイ装置１５はＡＣ−ＤＣ電源ｂ１７のみにて動作を維持する。
【００５０】
また、両系ともバックアップする場合では、ＵＰＳ本体１の制御部７は両系停電を検出すると、バッテリ８の電力でインバータ部９を動作させると共に、ＡＣ出力切替部１０により、図４に示すように、ＡＣ電源出力部ａ４とＡＣ電源出力部ｂ５の両方をインバータ部９に接続し、ＡＣ電源出力部ａ４とＡＣ電源出力部ｂ５の両方からＡＣ電源を出力する。
【００５１】
そして、ＵＰＳ本体１に接続されているディスクアレイ装置１５はＡＣ−ＤＣ電源ａ１６及びＡＣ−ＤＣ電源ｂ１７にて動作を維持する。
【００５２】
また、ＡＣ電源ラインが両系とも同時に停電した場合では、片系のみバックアップする場合及び両系ともバックアップする場合のどちらの場合でも、ＵＰＳ本体１では、通信ケーブル１８を介して、ディスクアレイ装置１５に対してシャットダウン要求の信号などを送信し、ディスクアレイ装置１５がシャットダウン完了後に通信ケーブル１８を介して送信した、シャットダウン完了の信号などを受信した後、ディスクアレイ装置１５へのＡＣ電源の供給を停止する。
【００５３】
また、この実施の形態のＵＰＳ本体１におけるＡＣ電源入力部ａ２及びＡＣ電源入力部ｂ３に接続されるＡＣ電源ラインの片系のみ停電した場合の動作としては、停電した側のＡＣ電源の出力を停止し、停電していない側のＡＣ電源の供給のみにする、又は停電していない方の電源でインバータ部９を動作させて、インバータ部９からのＡＣ電源を出力し、停電した側のＡＣ電源の供給を維持するから選択可能である。
【００５４】
この場合、どちらの場合においてもバッテリ８の電力は使用しない。これは、この後にもう一方のＡＣ電源ラインも停電した場合にバックアップ時間を確保する為である。
【００５５】
まず、停電した側のＡＣ電源の出力を停止し、停電していない側のＡＣ電源の供給のみにする場合では、例えば、ＡＣ電源入力部ａ２のみが停電した場合でも、インバータ部９によるインバータ動作はせずにＡＣ電源出力部ａ４の出力は停止し、負荷であるディスクアレイ装置１５には、ＡＣ電源出力部ｂ５からのＡＣ電源のみを出力する。
【００５６】
そして、ＵＰＳ本体１に接続されているディスクアレイ装置１５はＡＣ−ＤＣ電源ｂ１７のみにて動作を維持する。
【００５７】
この状態でさらにＡＣ電源入力部ｂ３が停電した場合は、ＵＰＳ本体１はすでに出力を停止したＡＣ電源出力部ａ４にはＡＣ電源を出力せず、ＡＣ電源出力部ｂ５のＡＣ電源の出力のみをインバータ部９のインバータ出力にて行う。
【００５８】
そして、ＵＰＳ本体１に接続されているディスクアレイ装置１５はＡＣ−ＤＣ電源ｂ１７のみにて動作を維持する。
【００５９】
また、停電していない方の電源でインバータ部９を動作させて、インバータ部９からのＡＣ電源を出力し、停電した側のＡＣ電源の供給を維持する場合では、例えば、ＡＣ電源入力部ａ２のみが停電した場合、図５に示すように、インバータ部９が動作し、ＡＣ出力切替部１０はインバータ部９とＡＣ電源出力部ａ４を接続してＡＣ電源出力部ａ５の出力が保たれる。
【００６０】
そして、ＵＰＳ本体１に接続されているディスクアレイ装置１５はＡＣ−ＤＣ電源ａ１６及びＡＣ−ＤＣ電源ｂ１７にて動作を維持する。
【００６１】
この時、バッテリ８の電力は使用されず、停電になっていないＡＣ電源入力部ｂ３から給電を受けたＡＣ−ＤＣ電源部６のＤＣ電源にてインバータ部９は動作する。
【００６２】
この後、ＡＣ電源入力部ｂ３側も停電した場合、インバータ部９に供給されるＤＣ電源はバッテリ８のものに切り替わり、ＡＣ電源出力部ａ５の出力が保たれる。
【００６３】
そして、ＵＰＳ本体１に接続されているディスクアレイ装置１５はＡＣ−ＤＣ電源ａ１６のみにて動作を維持する。
【００６４】
また、ＡＣ電源ラインが片系のみ停電した場合では、ＵＰＳ本体１では、通信ケーブル１８を介してシャットダウン要求の信号は送信せず、その後、残りの片系のＡＣ電源ラインが停電した場合に、通信ケーブル１８を介して、ディスクアレイ装置１５に対してシャットダウン要求の信号などを送信し、ディスクアレイ装置１５がシャットダウン完了後に通信ケーブル１８を介して送信した、シャットダウン完了の信号などを受信した後、ディスクアレイ装置１５へのＡＣ電源の供給を停止する。
【００６５】
次に、この実施の形態のディスクアレイ装置１５のＡＣ−ＤＣ電源ａ１６又はＡＣ−ＤＣ電源ｂ１７がショートモードで故障した場合の動作について説明する。
【００６６】
この実施の形態では、ＡＣ電源入力部ａ２とＡＣ電源入力部ｂ３に対して、それぞれ過電流検出部ａ１３と過電流検出部ｂ１４が接続されており、過電流検出部ａ１３及び過電流検出部ｂ１４は、例えば、サーキットブレーカなどから構成され、仮にディスクアレイ装置１５のＡＣ−ＤＣ電源１６がショートモードで故障した場合において、過電流の経路となる過電流検出部ａ１３のサーキットブレーカがＯＦＦし、ＡＣ−ＤＣ電源ｂ１７側の電流経路は確保されディスクアレイ装置１５のシステム停止には至らない。
【００６７】
また、この実施の形態のＵＰＳ本体１では、過電流検出部ａ１３又は過電流検出部ｂ１４の過電流検出によるサーキットブレーカＯＦＦ時には、サーキットブレーカがＯＦＦした側のＡＣ電源出力部には、インバータ部９によるＡＣ電源の出力は行なわないようになっている。
【００６８】
なお、この実施の形態では、ＵＰＳ本体１におけるＡＣ電源入力部ａ２及びＡＣ電源入力部ｂ３に接続されるＡＣ電源ラインの片系のみ停電した場合の動作の一例として、停電していない方のＡＣ電源でインバータ部９を動作させて、インバータ部９からのＡＣ電源を出力し、停電した側のＡＣ電源の供給を維持する動作について説明したが、ＡＣ出力切替部１０、又は他のＡＣ出力切替部などにより、停電した側へのＡＣ電源の供給をインバータ部９からではなく、停電していない側のＡＣバイパスラインから供給するようにしてもよい。
【００６９】
また、この実施の形態では、ＵＰＳ本体１におけるＡＣ電源入力部ａ２及びＡＣ電源入力部ｂ３に接続されるＡＣ電源ラインの片系又は両系が停電した状態の時に、ディスクアレイ装置１５のＡＣ−ＤＣ電源ａ１６又はＡＣ−ＤＣ電源ｂ１７がショートモードで故障した場合では、例えば、ＡＣ電源出力部ａ４及びＡＣ電源出力部ｂ５の前段などに、それぞれ過電流検出部を設けて、その過電流検出部の検出結果に基づいて、ショートモードで故障した側のＡＣ電源出力部へのＡＣ電源の供給を停止するようにしてもよい。
【００７０】
また、片系の停電の際に、停電していない側のＡＣ電源出力部に接続されているディスクアレイ装置１５のＡＣ−ＤＣ電源が、ショートモードで故障した場合でも、ショートモードで故障したＡＣ−ＤＣ電源へのＡＣ電源の供給を停止すると共に、ＡＣ出力切替部１０、又は他のＡＣ出力切替部などにより、故障していないＡＣ−ＤＣ電源へのＡＣ電源の供給に切り替えるようにしてもよい。
【００７１】
また、この実施の形態では、過電流検出部ａ１３及び過電流検出部ｂ１４を、サーキットブレーカで構成し、サーキットブレーカがＯＦＦすることにより、ショートモードで故障したＡＣ−ＤＣ電源へのＡＣ電源の供給を停止するようにしているが、過電流検出部ａ１３及び過電流検出部ｂ１４で検出した電流値を制御部７で監視し、その監視している電流値に基づいて、ＡＣ出力切替部１０などを制御することにより、ショートモードで故障したＡＣ−ＤＣ電源へのＡＣ電源の供給を停止するようにしてもよい。
【００７２】
また、この実施の形態では、コンピュータ機器の一例であるディスクアレイ装置１５に接続するＵＰＳ本体１の例で説明したが、本発明はこれに限らず、２系統の電源入力を有する機器に適用することが可能である。
【００７３】
また、この実施の形態では、ＡＣ電源を出力するＵＰＳ本体１の例で説明したが、本発明はＤＣ電源を出力するＵＰＳに適用することも可能である。
【００７４】
【発明の効果】
以上のように、本発明によれば、２系統の電源がそれぞれ入力される第１の電源入力部及び第２の電源入力部と、第１の電源入力部及び第２の電源入力部に入力された電源を、それぞれ出力する第１の電源出力部及び第２の電源出力部とを備え、制御部により、第１の電源入力部及び第２の電源入力部に入力される電源の停電状態を検出し、その検出結果に基づいて、第１の電源出力部及び第２の電源出力部の内、少なくとも１つの電源出力部からバックアップ電源を出力させるようにしたので、２系統の電源により動作する機器の、停電時等の電源障害に対する操作の維持を容易に行うことができるという効果を有する。
【００７５】
また、制御部により、第１の電源入力部及び第２の電源入力部に入力される両方の電源の停電状態を検出すると、機器に対して、シャットダウン要求の信号を送信し、機器からシャットダウン完了の信号を受信すると、第１の電源出力部及び第２の電源出力部からの電源の出力を停止するようにしたので、２系統の電源により動作する機器の、シャットダウン処理を確実に行うことができるという効果を有する。
【図面の簡単な説明】
【図１】本発明の一実施の形態における無停電電源装置の構成の一例を示した図である。
【図２】本発明の一実施の形態の無停電電源装置にディスクアレイ装置を接続した一例の構成を示す構成図である。
【図３】本発明の一実施の形態の無停電電源装置とディスクアレイ装置の接続の具体例を説明するための説明図である。
【図４】本発明の一実施の形態の無停電電源装置において両系統のＡＣ電源ラインが停電した一例の状態を説明するための説明図である。
【図５】本発明の一実施の形態の無停電電源装置において片系のＡＣ電源ラインが停電した一例の状態を説明するための説明図である。
【符号の説明】
１…ＵＰＳ本体、２…ＡＣ電源入力部ａ（第１の電源入力部）、３…ＡＣ電源入力部ｂ（第２の電源入力部）、４…ＡＣ電源出力部ａ（第１の電源出力部）、５…ＡＣ電源出力部ｂ（第２の電源出力部）、６…ＡＣ−ＤＣ電源部（充電部）、７…制御部、８…バッテリ、９…インバータ部（バックアップ電源変換部）、１０…ＡＣ出力切替部、１１…ＡＣバイパスラインａ、１２…ＡＣバイパスラインｂ、１３…過電流検出部ａ（第１の過電流検出部）、１４…過電流検出部ｂ（第２の過電流検出部）、１５…ディスクアレイ装置、１６…ＡＣ−ＤＣ電源ａ、１７…ＡＣ−ＤＣ電源ｂ、１８…通信ケーブル、２０，２１…ブレーカスイッチ、２２…通信用端子、２３…ＡＣ電源の入力部、２４…通信用端子。
【図１】
2004254470.tif 000003
【図２】
2004254470.tif 000004
【図３】
2004254470.tif 000005
【図４】
2004254470.tif 000006
【図５】
2004254470.tif 000007